(57)【要約】【課題】カーテンを開けると、ユニットルーム内に大きく採光が取れ、カーテンを閉じるとプライバシー確保ができるユニットルームを提供する。【解決手段】床を構成する床パン４と、天井を構成する天井パネル６と、側壁面を構成する透明な透明壁パネル５を備えたユニットバスルームＲ１であって、天井パネル６は床パン４の水平片４ｂよりも外側へ迫り出した迫り出し部６ａを有し、この迫り出し部６ａに透明壁パネル５の外側を覆うことのできるカーテン８が垂設されている。【選択図】図１
2008031747.tif 000002
【特許請求の範囲】
【請求項１】
床を構成する床パンと、天井を構成する天井パネルと、側壁面を構成する透明な壁パネルを備えたユニットルームであって、
前記天井パネルは前記床パンよりも外側へ略水平に迫り出した迫り出し部を有し、該迫り出し部に前記壁パネルの外側を覆うことのできるカーテンが垂設されていることを特徴とするユニットルーム。
【請求項２】
前記カーテンの一辺が延長され、該カーテンの延長部が前記ユニットルームの隣接空間のカーテンを構成することを特徴とする請求項１に記載のユニットルーム。
【請求項３】
前記カーテンの延長部は、前記ユニットルームの天井パネルに連結金具を介し連結された長尺支持部材に垂設されていることを特徴とする請求項２に記載のユニットルーム。
【請求項４】
前記天井パネルおよび前記長尺支持部材には、それぞれ前記連結金具が嵌合する凹部が形成されていることを特徴とする請求項３に記載のユニットルーム。
【請求項５】
前記長尺支持部材の凹部は、前記カーテンの延長方向に連続した凹溝状に形成されていることを特徴とする請求項４に記載のユニットルーム。
【発明の詳細な説明】
【技術分野】
【０００１】
本発明は、ユニットバスルームやシャワールーム等のユニットルームに関するものである。
【背景技術】
【０００２】
従来、特許文献１に開示されているように、ユニットルームの出入口の戸枠にカーテンを設置したものが存在する。
【特許文献１】特開平１１−１３２９６号公報
【発明の開示】
【発明が解決しようとする課題】
【０００３】
上記特許文献１に開示されている構造では、戸枠以外の所にカーテンを設置できず、特にユニットルームが透明なパネルで形成されているような場合に、その全体をカーテンで包み隠すというような思想は存在しないものであった。
【課題を解決するための手段】
【０００４】
本発明は上記従来の問題点に鑑み案出したものであって、カーテンを開けるとユニットルーム内に大きく採光が取れ、カーテンを閉めるとプライバシーが確保できるユニットルームを提供するものであり、その請求項１は、床を構成する床パンと、天井を構成する天井パネルと、側壁面を構成する透明な壁パネルを備えたユニットルームであって、前記天井パネルは前記床パンよりも外側へ略水平に迫り出した迫り出し部を有し、該迫り出し部に前記壁パネルの外側を覆うことのできるカーテンが垂設されていることである。
【０００５】
また、請求項２は、前記カーテンの一辺が延長され、該カーテンの延長部が前記ユニットルームの隣接空間のカーテンを構成することである。
【０００６】
また、請求項３は、前記カーテンの延長部は、前記ユニットルームの天井パネルに連結金具を介し連結された長尺支持部材に垂設されていることである。
【０００７】
また、請求項４は、前記天井パネルおよび前記長尺支持部材には、それぞれ前記連結金具が嵌合する凹部が形成されていることである。
【０００８】
また、請求項５は、前記長尺支持部材の凹部は、前記カーテンの延長方向に連続した凹溝状に形成されていることである。
【発明の効果】
【０００９】
本発明は、床を構成する床パンと、天井を構成する天井パネルと、側壁面を構成する透明な壁パネルを備えたユニットルームであって、前記天井パネルは前記床パンよりも外側へ略水平に迫り出した迫り出し部を有し、該迫り出し部に前記壁パネルの外側を覆うことのできるカーテンが垂設されていることにより、ユニットルームを透明な壁パネルで形成して、カーテンを天井パネルの迫り出し部に直接取り付けることができ、戸枠に設置する場合のように段差や分断を生じることなくユニットルームの周囲にぐるりと連続的にカーテンを設置することができ、カーテンを開けると、透明な壁パネルであるためユニットルーム内に大きく採光が取れ、カーテンを開けた状態では開放感が得られ、カーテンを閉めるとプライバシーを良好に確保できるものとなる。
【００１０】
また、前記カーテンの一辺が延長され、該カーテンの延長部が前記ユニットルームの隣接空間のカーテンを構成することにより、カーテンを閉じて、ユニットルームおよびその隣室空間全体を目隠しすることができ、ユニットルームおよび隣室空間をトータルコーディネートしてカーテンで他のスペースと区画することができるものとなる。
【００１１】
また、前記カーテンの延長部は、前記ユニットルームの天井パネルに連結金具を介し連結された長尺支持部材に垂設されていることにより、ユニットルームの天井パネルに連結金具を介し長尺支持部材を連結して、ユニットルーム側のカーテンを隣室空間まで良好に延長させることができるものとなる。
【００１２】
また、前記天井パネルおよび前記長尺支持部材には、それぞれ前記連結金具が嵌合する凹部が形成されていることにより、凹部内に連結金具を嵌合させ、良好に位置決めして天井パネルから連続的に長尺支持部材を延長させ、カーテンを延長させることができるものとなる。
【００１３】
また、前記長尺支持部材の凹部は、前記カーテンの延長方向に連続した凹溝状に形成されているため、現場で長尺支持部材を必要に応じてカットして間口調整を容易に行うことができ、凹溝内に連結金具を嵌合させて、連結金具で良好に長尺支持部材を天井パネルに連結してカーテンを延長することができるものとなる。
【実施例】
【００１４】
以下、本発明の実施例を図面に基づいて説明する。
図１は、ユニットルームの設置状態の第１実施例を示すものであり、図１では、床１と壁２と天井３で囲まれた建物の室内空間内にユニットバスルームＲ１を設置したものである。
ユニットバスルームＲ１は、防水床パン４と、透明な壁パネル５と、天井パネル６を組み付けて構成されており、防水床パン４は、建物の床１に開口１ａを形成させ、この開口１ａ内に設置したものであり、防水床パン４の外周には立ち上げ状に立上片４ａが一体形成され、立上片４ａの上端で外方へ略水平に水平片４ｂが形成されている。
この防水床パン４の水平片４ｂ上に透明な壁パネル５が立設されて、側壁面全周が透明な壁パネル５で形成され、壁パネル５の上端に水平状に天井パネル６が組み付けられている。
【００１５】
この天井パネル６は、防水床パン４の水平片４ｂの外端よりも更に水平方向に外側へ迫り出した迫り出し部６ａを外周側に有しており、この天井パネル６の迫り出し部６ａは、透明壁パネル５よりも外側に位置して、この迫り出し部６ａの下面にカーテンレール７が取り付けられ、カーテンレール７からカーテン８が垂設されている。
垂設されたカーテン８は、防水床パン４の水平片４ｂの外側にその下端が配置され、このカーテン８を透明壁パネル５の外側全周に設けておけば、カーテン８でユニットバスルームＲ１の外側全周をぐるりと連続的に包み隠すことができるものである。
【００１６】
カーテン８を閉じることで、建物の室内に設置されているユニットバスルームＲ１の外側全周を目隠しして良好にプライバシーを確保でき、ユニットバスルームＲ１内で良好に入浴することができるものとなり、また、カーテン８を開けることで、建物の室内が見渡せ、逆に室内側からもユニットバスルームＲ１内が透視できて、建物の室内とユニットバスルームＲ１が一体化した開放感のある設置状態が得られるものであり、しかもカーテン８を開けた状態では、ユニットバスルームＲ１内に良好に光を入れることができるものとなる。
【００１７】
次に、図２の正面図で、また図３の平面図で示すものは第２実施例であり、図２および図３では、内部でシャワーを行うことのできるシャワールームＲ２に隣接して、トイレ，洗面ルームＲ３を建物の室内に設置したものである。
シャワールームＲ２は、内部にシャワーチェア９や、手摺り１０が設置されており、その外周は透明な壁パネル５で囲まれ、洗面ルームＲ３側にドアＤが設けられており、天井には天井パネル６が設けられ、この天井パネル６の外周は透明壁パネル５よりも外側へ迫り出して、その迫り出し部に短辺カーテン８ａと長辺カーテン８ｂが垂設されて透明壁パネル５の外側を覆うことができるように構成されている。
【００１８】
図３に示すように、シャワールームＲ２の隣のトイレ，洗面ルームＲ３内には、便器１１と、洗面器１３と水栓１４を有するカウンター１２が設置されている。
短辺側の短辺カーテン８ａと直交するように長辺側の長辺カーテン８ｂが設置され、長辺カーテン８ｂは、シャワールームＲ２の天井パネル６からトイレ，洗面ルームＲ３側へ延長させた長尺支持部材１５に垂設されて、シャワールームＲ２およびトイレ，洗面ルームＲ３を覆うことができるものである。
【００１９】
長辺カーテン８ｂを閉じ、しかも短辺カーテン８ａを閉じることで、シャワールームＲ２とトイレ，洗面ルームＲ３の全体を目隠しすることができ、水廻りをトータルコーディネートしてカーテンで他の室内空間と区画できるものであり、長辺カーテン８ｂを開けることで、トイレ，洗面ルームＲ３内に出入りすることができ、トイレ，洗面ルームＲ３のみを開放させることも、更にはシャワールームＲ２側を開放させて建物の室内と一体化させることができ、更に短辺カーテン８ａも開けることで、シャワールームＲ２内に大きく採光が取れるものとなる。
【００２０】
なお、長辺カーテン８ｂを延長させるための長尺支持部材１５は、図４の斜視図で示すように、現場で壁パネル６の迫り出し部６ａに連結金具１６を介して位置決めして連結できるものである。
なお、天井パネル６の迫り出し部６ａの下面には、カーテンレール取付溝６ｂを形成させておき、このカーテンレール取付溝６ｂ内にカーテンレール７を嵌め込むことができ、同様に長尺支持部材１５の下面にもカーテンレール７が嵌まり込むカーテンレール取付溝１５ａを形成させておくことができるものである。
【００２１】
この天井パネル６のカーテンレール取付溝６ｂと長尺支持部材１５のカーテンレール取付溝１５ａを整合させて位置決めするために、天井パネル６の迫り出し部６ａの上面と長尺支持部材１５の上面には、それぞれ凹み状に嵌合凹部６ｃ，１５ｂが形成されており、この嵌合凹部６ｃ，１５ｂ内に連結金具１６のそれぞれの嵌合片１６ｃ，１６ｃを嵌め込んで、連結金具１６により、天井パネル６に対し長尺支持部材１５を位置決めして連結できるものである。
【００２２】
なお、連結金具１６は、連結片１６ａの両端側から一体状に立片１６ｂ，１６ｂが形成され、各立片１６ｂの下端から外側へ水平に延びて嵌合片１６ｃ，１６ｃが形成され、それぞれの嵌合片１６ｃ，１６ｃにはネジ孔１６ｄが上下に貫通形成されており、この嵌合片１６ｃ，１６ｃをそれぞれ天井パネルの嵌合凹部６ｃと長尺支持部材１５の嵌合凹部１５ｂ内に嵌め込んで、上方よりそれぞれネジをネジ孔１６ｄに締め付けて連結金具１６を固定することができ、連結金具１６で長尺支持部材１５が壁パネル６に延長状に連結されるものである。
このようにして現場で連結金具１６を介し長尺支持部材１５を天井パネル６に連結させ、長辺カーテン８ｂをトイレ，洗面ルームＲ３側へ延長させることができるものであり、水廻り全体を目隠しすることができるものとなる。
【００２３】
なお、図５は変更例を示すものであり、図５では、長尺支持部材１５の上面に溝状の凹溝１５ｃがカーテンの延長方向に連続して形成されており、この凹溝１５ｃを形成しておけば、現場で長尺支持部材１５を適宜切断して間口調整を行う際にも、良好にこの凹溝１５ｃに連結金具１６の嵌合片１６ｃを嵌合させることができるものとなり、どのような現場でもジャストフィットさせて長尺支持部材１５を天井パネル６に連結させて長辺カーテン８ｂを延長させることができるものとなる。
【図面の簡単な説明】
【００２４】
【図１】第１実施例のユニットバスルームを建物の室内に設置した設置状態図である。
【図２】第２実施例のシャワールームとトイレ，洗面ルームを室内に設置した状態の正面構成図である。
【図３】図２の平面概略構成図である。
【図４】天井パネルに長尺支持部材を連結させてカーテンを延長させる構成の要部斜視構成図である。
【図５】図４における長尺支持部材の変更例を示す要部斜視構成図である。
【符号の説明】
【００２５】
１  床
２  壁
３  天井
４  防水床パン
４ｂ  水平片
５  透明壁パネル
６  天井パネル
６ａ  迫り出し部
６ｂ  カーテンレール取付溝
６ｃ  嵌合凹部
７  カーテンレール
８  カーテン
８ａ  短辺カーテン
８ｂ  長辺カーテン
Ｒ１  ユニットバスルーム
Ｒ２  シャワールーム
Ｒ３  トイレ，洗面ルーム
１５  長尺支持部材
１５ａ  カーテンレール取付溝
１５ｂ  嵌合凹部
１５ｃ  凹溝
１６  連結金具
１６ａ  連結片
１６ｃ  嵌合片
【図１】
2008031747.tif 000003
【図２】
2008031747.tif 000004
【図３】
2008031747.tif 000005
【図４】
2008031747.tif 000006
【図５】
2008031747.tif 000007